(57)【要約】      （修正有）【課題】業績評価指標項目あるいは業績評価指標項目算出のためのデータ処理される時期や現在の状況、および業績評価指標項目間の関係把握を容易にする表示方法を提供する。【解決手段】業績評価指標項目状況を管理する表示方法であって、業績評価指標項目データベース３が、業績評価指標項目、業績評価指標の計算項目、および業務過程において発生する情報項目と、処理時期に関するデータとを関連付け格納する。因果関係図作成機能プログラム７が、時系列順の情報項目と、情報項目処理時期あるいは業績評価時期を表す時期区分を行方向と列方向に列挙する。因果関係図作成機能プログラム７が、情報項目と時期区分との対応関係記号を生成し、行列交差位置に配置する。因果関係図作成機能プログラム７が、記号が示す情報項目計算に用いられ、あるいは記号を用いて計算される他の記号と、記号とを連結する連結線を作成する。モニタに、情報項目、時期区分、記号、および連結線を表示する。【選択図】図１
2005165988.tif 000002
【特許請求の範囲】
【請求項１】
企業活動の評価に利用される複数の業績評価指標項目の状況を管理するための表の表示方法であって、
格納手段が、業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けてデータベースに格納する工程と、
列挙手段が、前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙する工程と、
記号配置手段が、前記情報項目と前記時期区分との対応関係を示す記号を生成して、行と列の交差位置に配置する工程と、
連結線作成手段が、前記記号が示す前記情報項目を計算するのに用いられる、あるいは該記号を用いて計算される他の記号と、該記号とを連結する連結線を作成する工程と、
表示手段が、前記情報項目、前記時期区分、前記記号、および前記連結線を表示する工程と
を含むことを特徴とする表の表示方法。
【請求項２】
表示された複数の前記時期区分のうち特定の時期区分が指定されると、指定された該時期区分、該時期区分の範囲内に表示された前記記号、および該時期区分の範囲内に表示された該記号と他の記号とを連結する前記連結線については表示し、指定された該時期区分の範囲外に表示されている前記時期区分、前記記号、および前記連結線は非表示とする工程
を更に含むことを特徴とする請求項１に記載の表の表示方法。
【請求項３】
前記情報項目の処理状況に応じて前記記号あるいは前記連結線のデザインを変化させる工程
を更に含むことを特徴とする請求項１に記載の表の表示方法。
【請求項４】
企業活動の評価に利用される複数の業績評価指標項目の状況を管理するための表の表示をコンピュータに実行させるためのプログラムであって、
格納手段が、業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けてデータベースに格納し、
列挙手段が、前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙し、
記号配置手段が、前記情報項目と前記時期区分との対応関係を示す記号を生成して、行と列の交差位置に配置し、
連結線作成手段が、前記記号が示す前記情報項目を計算するのに用いられる、あるいは該記号を用いて計算される他の記号と、該記号とを連結する連結線を作成し、
表示手段が、前記情報項目、前記時期区分、前記記号、および前記連結線を表示する
処理を前記コンピュータに実行させることを特徴とするプログラム。
【請求項５】
企業活動の評価に利用される複数の業績評価指標項目の状況を管理するための表の表示システムであって、
業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けて格納する格納手段と、
前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙する列挙手段と、
前記情報項目と前記時期区分との対応関係を示す記号を生成して、行と列の交差位置に配置する記号配置手段と、
前記記号が示す前記情報項目を計算するのに用いられる、あるいは該記号を用いて計算される他の記号と、該記号とを連結する連結線を作成する連結線作成手段と、
前記情報項目、前記時期区分、前記記号、および前記連結線を表示する表示手段と
を含むことを特徴とする表の表示システム。
【発明の詳細な説明】
【技術分野】
【０００１】
本発明は、企業の業績評価に用いられる業績評価項目の処理状況を管理することのできる表の表示方法に関し、特に、各業績評価項目が担当部門において処理される時期を含めて処理状況を管理することのできる表の表示方法に関する。
【背景技術】
【０００２】
従来、企業の業績を評価する指標は、会社単体の会計データを使った財務分析指標が中心とされてきた。この場合、評価対象会社の会計システムが締めの処理を行ったときに分析指標を計算する、というのが一般的である。
【０００３】
最近の企業の業績を評価する方法は、会社単体の業績評価から、子会社・関連会社を含めたグループ全体での評価が標準化してきている。このような評価方法を採用すると、会社ごとの各業務システムの締めの処理日が統一されていないかぎり、グループ全体の評価を出すための指標の計算を行うタイミングが分かり難くなる。更に、各データは、複数の評価指標算出に複雑に使用されており、従来の業績評価指標項目とその構成データを対応させるのみの表では、業績評価タイミング等の判断を行うのが難しくなってきている。
【０００４】
この問題を解決する方法としては、コンピュータを用いて複雑な業務評価を算出し、業績評価を統合的に評価する方法が開示されている（例えば、特許文献１）。また、会計データが算出されたものから順次、財務指標を算出することについても開示されている（例えば、特許文献２）。
【特許文献１】特開２００１−３５０９１１号公報
【特許文献２】特開２００３−１６２６３７号公報
【発明の開示】
【発明が解決しようとする課題】
【０００５】
上記の特許文献１に係る方法では、締め日が統一されていないグループ会社の業績評価に応用することは不可能である。また、特許文献２に開示の発明では、管理者にとっては、会計データが入力されない限り結果が出ないことになり、ある時期におけるある会計データあるいは分析指標の状態を把握することができない。
【０００６】
本発明は、業績評価指標項目あるいは業績評価指標項目算出のためのデータの各々が処理される時期や現在の状況、および複雑な業績評価指標項目間の関係の把握を容易にする表の表示方法を提供することを課題とする。
【課題を解決するための手段】
【０００７】
本発明の一形態によれば、企業活動の評価に利用される複数の業績評価指標項目の状況を管理するための表の表示方法であって、格納手段が、業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けてデータベースに格納する工程と、列挙手段が、前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙する工程と、記号配置手段が、前記情報項目と前記時期区分との対応関係を示す記号を生成して、行と列の交差位置に配置する工程と、連結線作成手段が、前記記号が示す前記情報項目を計算するのに用いられる、あるいは該記号を用いて計算される他の記号と、該記号とを連結する連結線を作成する工程と、表示手段が、前記情報項目、前記時期区分、前記記号、および前記連結線を表示する工程とを含むことを特徴とする表の表示方法が提供される。
【０００８】
情報項目が処理されるべき時期、複数の情報項目間の関係が表に示されるため、複雑な構成をとっていても、各業績評価指標項目についての状況の把握、管理が容易となる。
指定した情報項目とそれに関連を有する情報項目のみを表示させることとしてもよい。また、情報項目を表す記号を色分け表示して、各情報項目の処理状況を示すこととしてもよい。一定の処理が完了した情報項目を表す記号と他の記号とを連結する連結線については、実線表示、未処理の情報項目を表す記号と他の記号とを連結する連結線については点線表示等、連結線について、情報項目の処理状況に応じて表示を変えることとしてもよい。
【発明の効果】
【０００９】
本発明によれば、業績評価指標項目あるいは素データ項目等情報項目の、処理されるべき時期および実際に処理された時期、各情報項目間の関係、および各情報項目の因果関係図作成時点での処理状況が把握できるため、これは、子会社、関連会社等を含めたグループ会社について、業績指標の統一やデータ収集の統一を測りやすくなる。今年度のデータのみではなく、過去の情報から将来の見込や計画まで表示しているため、過去との比較を行い、今後の戦略の立案等にも利用することができる。
【発明を実施するための最良の形態】
【００１０】
以下、本発明を実施するために好適な実施の形態を具体的に述べる。
【実施例１】
【００１１】
図１に、本実施例に係る因果関係図の表示システム構造図を示す。本実施例における因果関係図とは、企業の業績評価に用いられる複数の業績評価指標項目間の関係や、各業績評価指標項目およびその算出に必要とされるデータが処理されるべき時期、ある時点における処理状況の把握を容易にするテーブルのことである。因果関係図の表示システム１は、業績評価指標項目定義機能プログラム２、業績評価指標項目データベース（格納手段）３、業績評価指標計算機能プログラム４、処理状況監視機能プログラム５、因果関係図作成機能プログラム７、ドリルダウン・ＯＬＡＰ（Ｏｎ−Ｌｉｎｅ  Ａｎａｌｙｔｉｃａｌ  Ｐｒｏｃｅｓｓｉｎｇ）機能プログラム８、業績評価マネジメントデータベース９、およびデータチェック機能プログラム１０から主に構成される。
【００１２】
業績評価指標項目定義機能プログラム２は、企業の業績評価に用いられる業績評価指標項目等について、処理が行われる時期、管理を行うシステム等、業績評価指標項目を処理するのに必要となるデータを関連付けて定義する。定義されたデータは、業績評価指標項目データベース３に格納される。業績評価指標項目を処理するのに必要となるデータは、キーボード等の入力手段からユーザが入力することとしてもよいし、図２の業種・業態指標辞書等のように、他のデータベース等からデータを読み込むこととしてもよい。
【００１３】
業績評価指標計算機能プログラム４は、必要なデータから、業績評価に用いられる業績評価指標項目を算出する。
処理状況監視機能プログラム５は、業績評価指標項目の計算に用いられるデータおよび計算結果データの状態を記録し、各データのある時点における状況を把握するためのプログラムである。
【００１４】
因果関係図作成機能プログラム７は、業績評価指標項目データベース３から読み出したデータあるいは業績評価指標計算機能プログラム４の計算結果データ等を、因果関係図として作成する。作成された因果関係図は、役員情報として、戦略スタッフ（分析）資料として、事業管理者の管理用データあるいは子会社・関連会社のデータ等、目的に応じてモニタ等の表示手段に表示させる。
【００１５】
このとき、企業外部に対する情報として、作成された因果関係図を編集・表示等するのが、情報開示機能プログラム６である。情報開示機能プログラム６は、因果関係図作成機能プログラム７によって作成された因果関係図に基づいて、情報開示のための資料作成や、投資家等への情報開示を行う。
【００１６】
ドリルダウン・ＯＬＡＰ機能プログラム８は、ある業績評価指標項目について更に細かい分類の項目についての因果関係図を作成すること、あるいはある因果関係図で表される評価の対象を、順次限定して表示させることにより、全体から詳細へと評価の観点を変えた因果関係図を作成し、表示させる。
【００１７】
業績評価マネジメントデータベース９は、各業績評価指標項目の処理の結果を記録し、多角的、分析的な業績評価のための因果関係図を作成する際に用いられる。
データチェック機能プログラム１０は、図１左側の本社、子会社Ａ、関連会社Ｂ等から入力されたデータにエラーがないかチェックし、本システムおよび業績評価システムにエラーの通知を行う。この他、他社や業界内の各種情報を連携して因果関係図に反映させたい場合は、図２の他社・業界情報連携機能プログラムによってデータを読み込むが、このデータについてもエラーのチェックを行う。
【００１８】
図２に、本実施例において作成され、表示される因果関係図の基本構造を示す。因果関係図２０を用いて、企業が業績評価に用いる業績評価指標項目の処理状況を時間的に把握し、管理を行う。
【００１９】
因果関係図２０は、例えば行方向に情報項目表示部Ｒ１、列方向に時間軸Ｃ１、情報項目の管理部門名称Ｃ２、およびシステム名Ｃ３が表示される。領域Ｄ１には、情報項目と時間軸との対応関係が記号にて示される。
【００２０】
情報項目表示部Ｒ１に表示される情報項目は、業績評価に用いられる業績評価指標項目、業績評価指標項目を算出するのに用いられる計算用項目、および業務の過程において発生する発生データをその内容とする素データ項目から構成される。
【００２１】
時間軸Ｃ１には、情報項目が処理される時期あるいは業績評価が行われる時期を表す時期区分が表示される。情報項目の管理部門名称Ｃ２は、ある時期区分において、情報項目の処理を行う部門が表示される。システム名Ｃ３は、データ発生システムや計算・分析処理システム名等が表示される。
【００２２】
時間軸Ｃ１を具体的に図３に示す。図３のように、Ｃ１に表示される時期区分としては、因果関係図の作成・表示を行っている時点における区分（月中、図３の当月発生・処理データ）のほか、過去の時期区分（前月、当月より過去データ）や即時にデータ処理や評価を行わない時期区分（四半期、半期、年等の時系列集約度の高いデータ）が表示される。
【００２３】
図４および図５に、具体的な因果関係図を示す。因果関係図は情報項目を行方向、情報項目を処理する時期区分を列方向としたテーブルで表される。
図４は、本実施例に係る表の表示システムによる因果関係図の初期の状態、すなわち運用前の定義時における状態を示す。図４の素データ項目Ａ１、素データ項目Ａ２、指標（計算）項目Ｂ１…が、図２の情報項目Ｒ１に相当する。図４の月中および半期の表示が、図２の時間軸Ｃ１に相当する。（１）部門、（２）部門、…（３）部門…が、図２の情報項目の管理部門名称Ｃ２に、（１）システム、（２）システム、…（３）システム、…が、図２のシステム名Ｃ３にそれぞれ相当する。
【００２４】
テーブルに表示された円形あるいは矩形の記号は、それぞれどの情報項目がどの時期に処理が行われるのかを示している。円形で表される記号は、業務の過程において発生するデータすなわち素データ項目を表す。矩形で表される記号は、業績評価指標項目あるいは業績評価指標項目を算出するために用いられる計算データを表す。例えば、素データ項目Ａ１は、月中の期間（１）にデータが発生することを表し、計算途中項目Ｂ２は、業績評価指標項目Ｂ１および素データ項目Ａ３の入力により算出され、指標（計算）項目Ｂ３の計算に用いられるための計算データであることを表す。
【００２５】
図４に示すように、各情報項目間を連結する連結線として、例えば曲線が表示されている。ある曲線を介して連結されている２つの情報項目間には、左側の情報項目を基にして右側の情報項目が求められることを意味する。１つの情報項目に対して複数の曲線が入射あるいは出射している場合は、その１つの情報項目を求めるのに複数の情報項目のデータが用いられていること、あるいは、１つの情報項目を用いて複数の情報項目が算出されることを意味する。なお、直線は、ある期間において処理される情報項目が、例えば累積値を求める等して、そのまま用いられることを表す。図４においては、例えば月中（１）の指標（計算）項目Ｂ１−半期（１）の指標（計算）項目Ｂ１を結ぶ二重線がそれである。指標（計算）項目Ｂ１は、月中の期間（１）に素データ項目Ａ１および素データ項目Ａ２を基に算出され、半期（１）に期末処理として累積値を利用して算出され、評価に用いられる。データをそのまま用いる意により、矢印は付されない。
【００２６】
図５は、本実施例に係る表の表示システムの運用時における因果関係図の一例を示す。図中の「現時点」を境に、左側は記号が色分けされ、曲線は実線表示されている。これに対し、右側は、記号の色は図４と同じであり、曲線は点線で表示されている。
【００２７】
図５の、本システムの運用時において、実線がある記号から射出している場合は、その記号が表す情報項目について承認がなされ、そのデータが次工程の情報項目に転送され、処理が完了したことを示す。点線が射出している場合は、システム運用時、データの処理が未完了で未承認の状態にあることを示す。時間的に業績評価を行う１サイクルが経過すると、因果関係図の記号の色分けおよび実線／点線の切り替え等は初期状態に戻る。なお、運用時における実線あるいは点線の表示の切り替えについては、承認完了のタイミングに限るものではない。
【００２８】
記号の色分けの有無および曲線が実線表示か否かにより、ユーザが因果関係図を閲覧している時点においてどの情報項目について処理が完了しているべきなのか、実際にどの情報項目の処理が完了しているのか等の判断を容易にしている。
【００２９】
図６乃至図８を用いて、図５の記号の色分け処理について詳細に説明する。
因果関係図の記号は、６種類の色分け（例えば白抜き、緑、黄、マゼンタ、青および赤）を行うことにより、情報項目の各処理の状態を示している。
【００３０】
白抜きは、本実施例に係る表の表示システム１の運用を開始した時の、記号の初期状態である。緑は、本システム１に素データが入力された状態、すなわち、データが本システム１に受信され、かつデータチェックが終了して計算等の処理が行える状態を示す。黄は、計算処理あるいはデータ転送が開始された状態を示す。マゼンタは、計算処理が終了し、承認者による承認待ちあるいはデータの分析中である状態を示す。青は、データが承認された状態、あるいはデータ転送が完了した状態を示す。赤は、処理の過程でエラーが発生し、処理が停止している状態を示す。
【００３１】
例えば、図５においては、素データ項目Ａ１、素データ項目Ａ２、指標（計算）項目Ｂ１および素データ項目Ａ３については処理が完了しているので記号は実際は青色表示されている。計算途中項目Ｂ２は、計算処理は終了しているが承認はまだされていない状態であるので、記号はマゼンタで表示されている。素データ項目Ａ４は、データの転送が開始した状態であり、記号は黄で表示されている。素データ項目Ａ５は、データが入力され、エラーチェックが完了した状態であり、記号は緑で表示されている。素データ項目Ａ６および指標（計算）項目Ｂ４、それと半期において処理が行われる計算途中項目Ｂ２については、データが未入力の状態であり、記号は白抜きで表示されている。
【００３２】
図６は、記号の表示色の変化についての動作処理を表すフローチャートである。同図の処理は、図１の業績評価指標項目データベース３、業績評価指標計算機能プログラム４、処理状況監視機能プログラム５、および因果関係図作成機能プログラム７の動作によって実現される。
【００３３】
まず、図１左側の本社、子会社Ａ、関連会社Ｂ等の各システムから本実施例における因果関係図の表示システムに対し、業績評価に必要なデータが入力される。データの入力を受けて、本システムにおける処理が開始し、本システムにおいて、そのデータを受信したことを認識する（ステップＳ６０１とする。以下、ステップに関し同様に表記する。）。
【００３４】
データの受信を認識すると、データエラーチェックを行う（Ｓ６０２）。エラーを検出した場合は、処理はＳ６０３´へと進む。処理状況監視機能プログラム５は、データチェック機能プログラム１０からの通知を受けて、業績評価指標項目データベース３にデータエラーであるという処理情報を、そのデータと関連付けて格納する。エラー通知と再処理の要求をデータの入力システム側に送信し、処理を終了させる。
【００３５】
データのエラーが検出されなかった場合は、処理はＳ６０３へと進み、受信したデータを業績評価マネジメントデータベース９に保存する。業績評価マネジメントデータベース９にデータが格納されると、処理状況監視機能プログラム５が、そのデータがシステムに入力されたという処理情報を、そのデータと関連付けて業績評価指標項目データベース３に格納する（Ｓ６０３）。因果関係図作成機能プログラム７は、この処理情報を読み出すと、因果関係図の記号の色を白抜きから緑へと変化させ（Ｓ６０４）、記号間を接続する曲線を実線表示させる。
【００３６】
あるデータについて処理を行う部門内で計算を行う時期、あるいは他の部門にデータを転送する時期になると、処理はＳ６０５へと進む。Ｓ６０５において、データの他部門への転送処理あるいは部門内でのデータの計算処理が開始すると、処理は次のステップへと進む。Ｓ６０６では、処理状況監視機能プログラム５が、転送あるいは計算の行われるデータについて、処理が開始したという処理情報を、転送あるいは計算の行われるデータと関連付けて、業績評価指標項目データベース３に格納する。因果関係図作成機能プログラム７は、この処理情報を読み出すと、因果関係図の記号の色を緑から黄へと変化させる。
【００３７】
転送あるいは計算処理が行われ（Ｓ６０７）、処理が完了すると、業績評価マネジメントデータベース９に転送あるいは計算結果データを保存する（Ｓ６０８）。業績評価マネジメントデータベース９にデータが格納されると、処理状況監視機能プログラム５が、そのデータが格納されたという処理情報を、業績評価マネジメントデータベース９に格納されたデータと関連付けて、業績評価指標項目データベース３に格納する。データが格納されると、処理はＳ６０９へと進む。Ｓ６０９では、因果関係図作成機能プログラム７は、因果関係図の記号の色を黄からマゼンタへと変化させる。
【００３８】
Ｓ６１０では、業績評価マネジメントデータベース９に格納されているデータについての、確認および承認の処理を行う。例えばキーボード等の入力装置から確認および承認がなされると、処理はＳ６１１へと進む。Ｓ６１１では、因果関係図作成機能プログラム７が、因果関係図の記号の色をマゼンタから青へと変化させ、一連の処理は終了する。
【００３９】
以上、図６に示す処理の流れにより、因果関係図の記号は、各データの状態に応じて色分け表示される。次に、本実施例における業績評価指標項目データベース３に格納されているデータの構造について具体的に説明する。
【００４０】
図７は、本実施例の業績評価指標項目データベースに格納されているデータの構造図である。項目定義情報７０１、データ情報７０２、データ処理履歴情報７０３、管理組織マスタ７０４、時系列軸マスタ７０５、計算式マスタ７０６、処理履歴マスタ７０７、単位マスタ７０８、表記記号マスタ７０９、因果関係図マスタ７１０、因果関係図作成情報７１１および因果関係図ドリルダウン情報７１２から構成される。
【００４１】
項目定義情報７０１は、業績評価指標項目等の情報項目について定義する情報を備える。項目定義情報７０１は、項目コード、管理組織情報、管理システム情報、時系列軸情報、算出式登録コード、構成項目情報、項目間接続情報（システム自動採番）およびドリルダウン対象データベース情報から構成される。これら項目定義情報７０１を構成するデータにより、ある情報項目が一意に決定される。
【００４２】
データ情報７０２は、項目コード、データおよび計算結果から構成され、業績評価指標項目等の情報項目が有する数値データに関する情報を備える。
データ処理履歴情報７０３は、処理コードおよびデータから構成される。１つの情報項目、すなわち１つの項目コードに対して１つのデータ処理履歴情報７０３が割り当てられる。
【００４３】
管理組織マスタ７０４は、業績評価の対象となる企業等の組織内における、業績評価指標項目の処理を行う組織、例えば企業内における部門についての情報が格納されている。部門コードとその部門の名称と、あるいは部門システムコードとそのシステム名称と、等の管理部門とそのコードとに関する情報が、互いに関連付けて格納されている。
【００４４】
時系列軸マスタ７０５は、例えば図２の因果関係図の横軸方向に記されているように、業績評価指標項目の処理を行う時期あるいは業績評価を行うのに業績評価指標項目を参照する時期についての情報が格納されている。時系列コードと時系列の名称、例えば営業日、四半期や年等とが、互いに関連付けて格納されている。
【００４５】
計算式マスタ７０６は、複数のデータをもとに業績評価指標項目を算出するための計算式に関する情報が格納されている。計算式コードと計算式コードに対応する計算式とが、互いに関連付けて格納されている。
【００４６】
処理履歴マスタ７０７は、業績評価を行うための指標となる、業績評価指標項目が、処理のどの段階にあるのかに関する情報を格納されている。業績評価指標項目あるいは素データ項目の本システムへの入力、システムで計算中、他の組織へのデータ転送済み等の処理段階を示す処理の内容とこれに対応する処理コードとが、互いに関連付けて格納されている。
【００４７】
単位マスタ７０８は、業績評価指標項目あるいは素データ項目間で、異なる単位系が用いられるとき、換算するためのデータが格納されている。
表記記号マスタ７０９は、因果関係図で業績評価指標項目あるいは素データ項目のひとつひとつを表す記号や、業績評価指標項目あるいは素データ項目の関係を表す曲線の種類等に関する情報を格納されている。線の種類とこれに対応する線種コード、記号とこれに対応する記号コード、記号の色とこれに対応する色コード等が、互いに関連付けて格納されている。
【００４８】
因果関係図マスタ７１０は、複数の因果関係図のうちである因果関係図を特定するための情報が格納されている。様々な角度から業績評価を行うための複数の因果関係図が本システムでは提供される。その各々には因果関係図名が付されており、この因果関係図の名称とこれに対応する因果関係図コードとが、互いに関連付けて格納されている。
【００４９】
因果関係図作成情報７１１は、因果関係図コードを先述の因果関係図マスタ７１０から読み出した因果関係図コードと、自身の因果関係図のうちある情報項目についてより詳細な分類で、あるいは評価の対象を切り替えて表示させるときに必要な情報を備えている。
【００５０】
因果関係図ドリルダウン情報７１２は、例えばドリルダウン等、つまり視点を変えて他の因果関係図を作成して表示するための情報を備えている。因果関係図からのドリルダウン情報とは、ある因果関係図と業績評価指標項目等の情報項目について詳細な分類による評価を行うため、あるいは事業部ごと、地域ごと等、評価を行う対象を変えて分析および評価を行う際に必要な情報、例えば、情報項目の大項目、中項目および小項目の関係や、評価を行う対象の区分等に関する情報である。
【００５１】
因果関係図中における１情報項目の内容を決定する項目定義情報７０１は、項目コードをキーとして、データ情報７０２から情報項目の数値データおよび関係する事業、地域等に関するデータを読み出す。データ情報７０２は、処理コードをキーとして、データ処理履歴情報７０３から数値データに対してなされた処理の回数、各々の処理に関するデータ処理コードを読み出す。データ処理コードをキーとして、処理履歴マスタ７０７から処理履歴情報を読み出し、１つの情報項目に対応する処理履歴情報を取得する。処理履歴マスタ７０７は、因果関係図上での表現に関する情報を表記記号マスタ７０９から読み出し、取得する。
【００５２】
情報項目と因果関係図中の時間軸や組織、システム等のフォーマットとの関係については、項目定義情報７０１は、時系列コード、部門コードあるいは部門システムコード、単位コードおよび計算式コードをキーとして、それぞれ時系列軸マスタ７０５、管理組織マスタ７０４、単位マスタ７０８および計算式マスタ７０６からデータを読み込むことにより、項目定義情報７０１のデータが取得される。
【００５３】
ドリルダウン等により、他の視点から業績評価を行うため因果関係図の表示を変えるときは、項目定義情報７０１は、項目間接続情報から因果関係図作成情報７１１内の関連を有する他の因果関係図に関するデータを読み出すことにより図の切り替えが実現される。因果関係図作成情報７１１は、複数の因果関係図を識別する情報、切り替え前と切り替え後の因果関係図間の関係に関する情報については、それぞれ因果関係図マスタ７１０、因果関係図ドリルダウン情報７１２からデータを読み出すことにより取得する。
【００５４】
図８は、業績評価指標項目データベースに格納されているデータ構造を具体的に示した図である。図７の項目定義情報７０１は、図８の項目定義情報テーブル８１に示すデータから構成されている。項目定義情報テーブル８１は、項目コード、項目名称、項目属性、データ発生時期、データ管理組織、データ管理システム、計算式コードおよび構成項目情報から構成される。
【００５５】
項目コードとは、業務の過程において発生したデータである素データや、業績評価指標項目、あるいは計算データ項目のコードである。このコードによって、どの項目についての処理が行われたのか、時期データを格納するのか等が一意に決定される。項目名称とは、素データや業績評価指標項目あるいは計算データ項目に付された名称である。これは、図４あるいは図５にあるように、情報項目として因果関係図に表示される。項目属性とは、その項目データが、素データ項目であるのか、あるいは業績評価指標項目（業績評価指標項目であると同時に計算データ項目である項目を含む）であるのかを示す。
【００５６】
データ発生時期は、既データ発生フラグと、各時期データの発生期とから構成される。既データ発生フラグは、この項目定義情報テーブル８１に格納されている情報項目が、過去のデータであるか否かを示す。各時期データの発生期は、データの発生、あるいは計算処理のタイミングを示す。データの発生時期は、業務活動においてデータの発生する時期や評価を行う時期に基づいて設定される。例えば、１営業日乃至３１営業日、週、月、四半期、半期、年等が挙げられる。ある情報項目について複数の時期に処理を行う場合、データ発生時期は、複数のデータの発生期から構成される。
【００５７】
データ管理組織は、各種情報項目を管理する組織のコードからなる。ここでいう組織が管理する内容とは、例えば、あるデータの入力、複数のデータに基づく計算、算出されたデータの承認等の業務を指す。複数の時期にある情報項目について処理を行う場合、複数の組織コードがここに格納される。
【００５８】
データ管理システムは、各種情報項目を管理するシステムのコードからなる。例えば、図１の本社における、販売システム、生産システム、在庫システム、会計システム等がこれに該当する。複数の時期にある情報項目について処理を行う場合、複数のシステムコードがここに格納される。
【００５９】
計算式コードは、先述の項目属性が業績評価指標項目である場合、計算を行うための式を管理する管理コードである。この計算式コードに基づいて、他の組織、他のシステムから転送されたデータをもとに、業績評価指標項目を算出する。
【００６０】
構成項目情報は、構成要素数および構成項目コードからなる。構成要素数は、この項目定義情報テーブル８１に格納されている情報項目を構成する他の情報項目の数である。例えば、図４の指標（計算）項目Ｂ１は、素データ項目Ａ１と素データ項目Ａ２の２項目から構成されているので、指標（計算）項目Ｂ１についての項目定義情報テーブルの構成要素数には、「２」が格納されている。構成項目コードは、この項目定義情報テーブルに格納されている情報項目を構成する他の情報項目の構成項目コードが格納されている。
【００６１】
図７のデータ情報７０２は、具体的には、図８のデータ情報テーブル８２から構成されている。データ情報テーブル８２は、項目コード、データ履歴コード、発生年月日、時系列属性コード、数値データおよび分析セグメントから構成される。
【００６２】
項目コードは、業務の過程において発生したデータである素データや、業績評価指標項目、あるいは計算データ項目のコードである。同一の情報項目については、先述の項目定義情報テーブル８１の項目コードと、同一の項目コードのデータが格納される。
【００６３】
データ履歴コードは、データ処理の履歴を管理するコードである。このデータ履歴コードは、１データ、すなわち１項目コードにつき１データ履歴コードが存在し、項目コードによりデータ履歴コードが一意に決定される。
【００６４】
発生年月日は、項目コードに対応するデータが発生した年月日に関するデータである。時系列属性コードは、項目コードに対応するデータの、時系列属性、すなわち、日次、週次、月次、四半期、半期、年、その他計算係数等である。数値データは、業績評価指標項目の算出に用いられるデータ自体である。
【００６５】
分析セグメントは、複数の事業コード、地域コード等のデータから構成され、これは、データを分析する際の、分析セグメントコードを示す。これは、因果関係図を事業別、地域別等により分けて表示させて分析を行うときに利用される。
【００６６】
図７のデータ処理履歴情報７０３は、具体的には、図８のデータ処理履歴情報テーブル８３から構成されている。データ処理履歴情報テーブル８３は、データ履歴コード、処理履歴数、処理日時１、データ処理コード１、処理日時２、データ処理コード２、処理日時３、…処理日時Ｎ、およびデータ処理コードＮから構成される。
【００６７】
データ履歴コードは、データ処理の履歴を管理するデータ情報テーブル８２のコードを示す。同一の情報項目のデータ履歴については、先述のデータ情報テーブル８２のデータ履歴コードと、同一のデータが格納される。処理履歴数は、データ情報テーブル８２の数値データに対して、処理がなされた回数である。
【００６８】
処理日時Ｎは、数値データに対して、Ｎ回目に処理された日時に関する情報が格納されている。データ処理コードＮは、Ｎ回目に行われた処理の内容コードが格納されている。処理日時およびデータ処理コードは、それぞれ処理履歴数分のデータが格納されている。
【００６９】
図７の管理組織マスタ７０４は、具体的には、図８の管理組織マスタ８４ａおよび管理システムマスタ８４ｂから構成されている。管理組織マスタ８４ａは、例えば部署等の、ある情報項目の処理を管理・管轄する組織についてのデータが格納されており、管理組織コード、管理組織名称および所在地コードから構成される。管理システムマスタ８４ｂは、例えば販売システム、会計システム等の、ある情報項目の処理を行うシステムについてのデータが格納されており、管理システムコード、管理システム名称およびシステム管理組織コードから構成されている。
【００７０】
図７の処理履歴マスタ７０７は、具体的には、図８の処理履歴マスタ８７から構成されている。処理履歴マスタ８７は、データ処理コード、処理名称、素データ項目表示色コード、素データ項目接続線種コード、業績評価指標項目表示色コードおよび業績評価指標項目接続線種コードから構成される。
【００７１】
データ処理コードは、情報項目データに対する処理を示すコードである。処理名称には、処理の内容に関する情報が格納されている。素データ項目表示色コードには、素データ項目に対する処理色（例えば、白抜き、緑、黄、マゼンタ、青および赤等）に関する情報が格納されている。素データ項目接続線種コードには、素データに対する接続線の種類（例えば、実線、点線および二重線等）に関する情報が格納されている。業績評価指標項目表示色コードには、業績評価指標項目に対する処理色（例えば、白抜き、緑、黄、マゼンタ、青および赤等）に関する情報が格納されている。業績評価指標項目接続線種コードには、業績評価指標項目に対する接続線の種類（例えば、実線、点線および二重線等）に関する情報が格納されている。
【００７２】
かかる構造を備えたデータが処理され、因果関係図上で表示が変化していく過程を以下に示す。適宜、図９乃至図１２を参照しながら説明する。なお、因果関係図の記号と記号とを結ぶ曲線は、ここで参照する図面は全て実線で描かれているが、先述のとおり、実線に加えて点線、二重線等を用いて表示させることとしてもよい。
【００７３】
図９（ａ）は、各業績評価指標項目について、因果関係図を作成するのに必要とされる情報が入力された状態である。図９（ａ）は、図７では項目定義情報７０１、図８では項目定義情報テーブル８１が有するデータに相当する。例えば項目コードＩで表される業績評価指標項目Ｉに関しては、ａ１、ａ２、ｂ１およびｂ２の４つの情報項目から構成される。周期は月、日程は２が入力されている。これは、項目コードＩの情報項目については、因果関係図の時間軸上のうち、一月を単位とする期間区分内に処理されるデータであり、例えば月中の内２番目の営業日に処理される項目であることを意味する。データ元システムはＰ、管轄部署（管理部門）はＪＰのデータが入力されている。これは、項目コードＩの数値データがシステムＰから得られたものであり、部署ＪＰにおいて処理されることになっている、ということを意味する。
【００７４】
図９（ａ）の各情報項目についてのデータを基にして作成された因果関係図が、図９（ｂ）である。項目コードと周期および日程とから記号の位置が決定される。必要なデータ元システムおよび管轄部署（管理部門）についての情報が因果関係図に記載される。各情報項目間の関係を示す曲線は、図９（ａ）の構成要素データを基に作成、表示される。
【００７５】
図９（ｂ）の因果関係図は、図９（ａ）のデータを基に作成、表示された段階である。本実施例に係るシステム運用に際しては、各情報項目の処理が管轄部署（管理部門）にて行われるのに応じて記号の色表示を変化させ、情報項目の処理状況を示す。また、因果関係図を閲覧する日時によっても色表示を変化させ、閲覧時において処理されているべき情報項目を示す。処理の経過および時間の経過により記号の色表示は変化していく。ここでは、まず、図１０を用いて、項目コードＩを構成するデータが全て入力されたことを受けて、項目コードＩのデータを項目コードIIIに転送し、受け渡すまでのデータの流れを説明する。
【００７６】
図１０の各表は、図７ではデータ情報７０２およびデータ処理履歴情報７０３が、図８ではデータ情報テーブル８２およびデータ処理履歴情報テーブル８３が有するデータに相当する。図１０（ａ）では、項目コードＩを構成する素データ項目ａ１、ａ２、ｂ１およびｂ２のうち、ａ１とｂ１との２項目についてのみ入力されている。業績評価指標項目データベース３に素データ項目が入力されたことを認識すると、図１０（ａ）のように、入力された素データ項目の状態に「ＩＮ（入力済み）」であると書き込む。同様にしてａ２およびｂ２の素データについても入力が完了した状態を、図１０（ｂ）に示す。
【００７７】
図９（ａ）から項目データIIIの計算式は式アであること、図１１（ａ）より式アの計算式がＩ＋IIであることを認識すると、項目データＩおよびIIから項目データIIIの構成要素（ここではａ１、ａ２、ｂ１およびｂ２）を検索して抽出する。式アにしたがって項目データIIIの各構成要素について図１１（ｂ）中の項目コードIIIの計算処理データに基づいて計算を行う。計算の結果、エラーでない場合、図１０（ｃ）のように、項目データIIIの構成要素の状態が一つずつ「ＩＮ」の状態に書き換えられていく。
【００７８】
項目データIIIの構成要素の状態が「ＩＮ」となると、対応する項目データＩおよびIIの構成要素についてはデータ転送が完了したと判断する。図１０（ｄ）のように、データ転送が完了したと判断された項目データＩおよびIIの構成要素については、状態を「ＯＵＴ（転送済み）」と書き込む。
【００７９】
なお、項目コードIIIの計算状態については、図１２に示すように、項目データＩおよびIIから項目データIIIの構成要素であるａ１、ａ２、ｂ１およびｂ２の抽出を開始すると、計算が開始したとして、項目コードIIIの「黄」の欄に開始の日付が記録される。図１１（ｂ）の計算処理データに基づいた計算が完了すると、計算処理終了の状態であるとして、「マゼンタ」欄に日付が記録される。項目コードIIIについて承認されると、項目コードIIIについてはデータ承認済みの状態であるとして、「青」の欄に日付が記録される。このようにして、項目コードIIIについてはデータが入力されたと認識される。
【００８０】
各データ項目について、入力、計算、転送等の各処理が完了した時刻に関する情報が、図７のデータ処理履歴情報７０３、図８のデータ処理履歴情報テーブル８３に格納されている。図１０（ａ）の項目コードＩ乃至Ｖについて、おのおのの処理についての完了の時刻データを記憶させたものを、図１３（ａ）に模式的に示す。
【００８１】
項目コードＩ、IIおよびIVは、情報項目を構成する要素全てについて、入力の状態が「ＩＮ」とされると、図１３（ａ）の「緑」について時刻が書き込まれる。ここでは、全ての情報項目について、その周期は月であることから、時刻は月中における処理タイミングとして、日付が入力される。例えば、項目コードＩ−緑の欄には、１１月２日のデータが書き込まれる。
【００８２】
項目コードIIIを構成する構成要素（ａ１、ａ２、ｂ１およびｂ２）のうち、１要素でもＩＮの状態に書き換えられたことを認識すると、項目コードIIIを構成する項目コードＩあるいはIIについては、「黄」の欄に日付が書き込まれる。項目コードIIIについてその表示色がマゼンタ、すなわち計算処理は完了かつ未承認の状態を認識すると、項目コードＩおよびIIについては、「青」の欄に日付が書き込まれる。同様に、項目コードＶについてマゼンタの欄に日付が書き込まれると、項目コードＶを構成する項目コードIIIおよびIVについて、「青」の欄に日付が書き込まれる。
【００８３】
日付データが書き込まれると、因果関係図の記号の色も、図１３（ａ）のテーブルに記載の色に変更される。例えば図１３（ｂ）のように、１１月３日の時点では、図１３（ａ）の項目コードＩについては「青」の欄に日付が記入されており、図１３（ｂ）でも青色表示されている。項目コードIIについては、図１３（ａ）で「黄」の欄まで日付が記入されており、図１３（ｂ）のように項目コードIIは黄色表示されている。項目コードIII乃至Ｖについては、１１月３日の時点では未だ図１３（ａ）のテーブルには日付データが書き込まれておらず、図１３（ｂ）の因果関係図においても、表示色は白抜きのままである。
【００８４】
因果関係図が表示される時点によっても、因果関係図中の記号の色表示は変化する。例えば、１１月５日時点においては、図１３（ａ）にあるように、項目コードＩに加え、項目コードII乃至４についても処理が完了しており、対応する因果関係図の記号は青で表示される。項目コードＶについては１１月５日時点では未だ処理状況が図１３（ａ）のデータテーブルに記録されておらず、因果関係図の記号は、白抜き表示のままである。データ項目Ｖについても、時間の経過と共に処理が行われ、図１３（ａ）のデータテーブルに日付が記録されるに伴って因果関係図の記号の色表示がなされる。
【００８５】
業績評価を行う際の手法として、ドリルダウンやスライス＆ダイス操作を行うことがある。本実施例に係る因果関係図の表示システムは、これら観点を変えて業績評価を行う手法にも対応させて因果関係図を表示させることができる。なお、ドリルダウンとは、集計データを細分化して詳細に分析を行うことで、本実施例では、例えばある業績評価指標項目について更に細分化した項目についての因果関係図を作成し、表示することである。スライス＆ダイスとは、因果関係図を例えば関東、関西等の地域ごとの因果関係図表示から事業部ごとの因果関係図表示へと切り替える等により、分析を行うことである。
【００８６】
図１４は、ドリルダウンやスライス＆ダイスの操作に従った因果関係図の表示の切り替えを、模式的に示した図である。（１）の矢印方向は、ドリルダウン操作により、因果関係図２０中のある情報項目について、更に細分化した項目についての因果関係図２０ｄ、２０ｄ´を作成、表示させることを意味する。（２）の矢印方向は、スライス＆ダイス操作により、因果関係図２０で表されている業績について、例えば事業部ごと、地域ごとによる因果関係図２０ｓ、２０ｓ´を作成、表示させることを意味する。これらドリルダウンやスライス＆ダイスの操作は、予め、因果関係図２０について図７の因果関係図作成情報７１１内に因果関係図２０ｄや２０ｓ等の情報を備えていることにより実現される。
【００８７】
以上述べたように、本実施例に係る因果関係図の表示システムにより表示された因果関係図によれば、業績評価指標を構成するデータ間が線で接続されているため、データの流れが把握しやすい。更に各データについての状態が色分けして表示され、各データのみならず全体としての処理状況が把握できる。また、時間軸として過去、現在、四半期や半期、年といった長期的な時間区分を含んで表示されるため、指標の長期的な分析サイクルを把握しやすい。
【００８８】
各データの処理されるべき時期および実際に処理された時期、各データ間の関係、および各データの因果関係図作成時点での処理状況が把握できるため、これは、子会社、関連会社等を含めたグループ会社について、業績指標の統一やデータ収集の統一を図りやすくなる。
【００８９】
このように、本実施例に係る因果関係図の表示システムは、業績評価指標項目あるいは素データ項目についての把握がユーザにとって容易になる。加えて、業績評価指標を用いた業績評価システムの構築者にとっても利点を有する。すなわち、業績評価指標の内容自体には精通していないシステム構築者にとって、因果関係図の参照によってデータ間の関係の理解が助けられる。また、各データの状態、データ間の流れが確認しやすいことは、システムのメンテナンス作業においても功を奏する。ユーザ、システム構築者双方にとってシステムの把握が容易になるということは、業績評価システムについて検討を行う際にも、業績評価指標についての知識を有する側とシステム構築についての知識を有する側との認識のずれを埋める役割を果たす。
【実施例２】
【００９０】
本実施例では、実施例１で作成、表示した因果関係図のうち、ユーザが必要とする箇所について表示させ、複雑に関係しあう業績評価指標項目あるいは素データ項目の表示を単純化させる機能を備えることを特徴とする。なお、本実施例においては、システムの構成図、業績評価指標項目データベースに格納されているデータ構造および因果関係図のシステム運用時の処理については、実施例１と同様であるので、ここではその詳細な説明は割愛し、相違点である因果関係図の表示の形態について説明する。
【００９１】
第１の形態は、業績評価指標項目あるいは素データ項目等の情報項目をユーザが指定することで、指定された情報項目と関連のある情報項目、すなわち指定された記号と曲線で接続された記号について表示させることである。これは、因果関係図中の情報項目欄に記載された情報項目の名称を、ユーザがポインティングデバイス等の入力手段により指定することによってもよいし、情報項目を表す記号を指定することとしてもよい。
【００９２】
このとき、指定された情報項目を表す記号と接続されていない情報項目の記号については、接続線のみを消去させることとしてもよい。あるいは、接続線に加えて記号をも消去させることとしてもよい。情報項目欄ごと非表示とさせてもよい。
【００９３】
第２の形態は、時間軸のうちある時期区分をユーザが指定することで、指定された時期区分で処理が行われる情報項目についてのみ表示させ、他の時期区分に処理される情報項目については非表示とすることである。
【００９４】
図１５に、指定された時期区分以外の記号を非表示とした因果関係図について、非表示とする前の因果関係図と共に示す。図１５の上側は、図２の業績評価指標項目データベース３に格納されたデータに基づいて作成、表示した因果関係図である。例えば、ユーザがモニタ等で因果関係図を参照しながら、ポインティングデバイス等の入力手段で「半期」欄を指定した場合、因果関係図の表示は図１５下側のようになる。指定された「半期」中に処理および評価がなされる項目（指標（計算）項目Ｂ１、素データ項目Ａ５、指標（計算）項目Ｂ３および指標（計算）項目Ｂ４）およびその時期区分内の接続線のみが表示される。
【００９５】
これらの表示形態を備えることにより、複雑な関係を有する複数のデータから、必要なデータについてピックアップして表示させることができる。時間軸は、現在に止まらず過去や未来についても表示されているため、過去のデータとの比較や今後の戦略を立案する際にも利用しやすくなる。
【００９６】
ところで、実施例１および２における因果関係図の表示システムは、図１６に示すような情報処理装置（コンピュータ等）を用いて実行される。図１６の情報処理装置は、ＣＰＵ（中央処理装置）１６１、メモリ１６２、入力装置１６３、出力装置１６４及びネットワーク接続装置１６５を備え、それらはバス１６９により互いに接続されている。
【００９７】
メモリ１６２は、例えばＲＯＭ（ｒｅａｄ  ｏｎｌｙ  ｍｅｍｏｒｙ）、ＲＡＭ（ｒａｎｄｏｍ  ａｃｃｅｓｓ  ｍｅｍｏｒｙ）などを含み、業績評価指標計算機能プログラム４、処理状況監視機能プログラム５、因果関係図作成機能プログラム７等のプログラムは、メモリ１６２のＲＯＭ等に格納される。また、業績評価評価指標項目データベース３等のデータベースはメモリ１６２によって実現され、メモリ１６２には、データベース業績評価指標項目、素データ項目等の情報項目のデータを含む各種のデータが格納される。ＣＰＵ１６１は、メモリ１６２を利用したプログラムの実行あるいはデータベースへのアクセスにより、因果関係図の作成および表示、ユーザが指定した情報項目あるいは時期区分、記号等に対応して因果関係図の表示を切り替える等の、一連の処理を行う。
【００９８】
入力装置１６３は、業績評価指標項目等の情報項目について定義を行うとき、ユーザが情報項目あるいは時期区分を指定するとき、ドリルダウン等により他の観点から分析を行うとき等に用いられる。出力装置１６４は、因果関係図を表示させるため等に用いられる。
【００９９】
ネットワーク接続装置１６５は、本社、子会社・関連会社等の他のコンピュータに接続するための装置である。因果関係図の表示システムは、本社、子会社・関連会社等のコンピュータからネットワーク接続装置１６５を介して受信した素データ項目を管理したり、ネットワーク接続装置１６５を介して因果関係図のデータを送信したりする。
【０１００】
なお、本発明は以上の例に限定されることなく、更に種々変形して実施することができる。
【０１０１】
（付記１）
企業活動の評価に利用される複数の業績評価指標項目の状況を管理するための表の表示方法であって、
格納手段が、業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けてデータベースに格納する工程と、
列挙手段が、前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙する工程と、
記号配置手段が、前記情報項目と前記時期区分との対応関係を示す記号を生成して、行と列の交差位置に配置する工程と、
連結線作成手段が、前記記号が示す前記情報項目を計算するのに用いられる、あるいは該記号を用いて計算される他の記号と、該記号とを連結する連結線を作成する工程と、
表示手段が、前記情報項目、前記時期区分、前記記号、および前記連結線を表示する工程と
を含むことを特徴とする表の表示方法。
【０１０２】
（付記２）
前記表示手段は、複数の情報項目に対応する複数の記号のうち、一の記号が指定されると、直接あるいは他の記号を介して該一の記号と連結線で連結されていない１あるいはそれ以上の記号に接続された連結線を非表示にする工程
を更に含むことを特徴とする付記１に記載の表の表示方法。
【０１０３】
（付記３）
前記連結線の表示を消去された前記記号、該記号が示す前記情報項目、および該情報項目を表示する前記行あるいは列を非表示にする工程
を更に含むことを特徴とする付記２に記載の表の表示方法。
【０１０４】
（付記４）
表示された複数の前記時期区分のうち特定の時期区分が指定されると、指定された該時期区分、該時期区分の範囲内に表示された前記記号、および該時期区分の範囲内に表示された該記号と他の記号とを連結する前記連結線については表示し、指定された該時期区分の範囲外に表示されている前記時期区分、前記記号、および前記連結線は非表示とする工程
を更に含むことを特徴とする付記１に記載の表の表示方法。
【０１０５】
（付記５）
前記情報項目の処理状況に応じて前記記号あるいは前記連結線のデザインを変化させる工程
を更に含むことを特徴とする付記１に記載の表の表示方法。
【０１０６】
（付記６）
前記記号あるいは前記連結線のデザインを変化させる工程において、前記情報項目の処理状況に応じて前記記号の色表示を変化させることを特徴とする付記５に記載の表の表示方法。
【０１０７】
（付記７）
前記記号あるいは前記連結線のデザインを変化させる工程において、前記情報項目の処理状況に応じて前記連結線を点線表示から実線表示へと変化させることを特徴とする付記５に記載の表の表示方法。
【０１０８】
（付記８）
一の情報項目を順次細かい分類で表示させること、あるいは一の表で表される評価の対象を順次限定して表示させることにより、全体から詳細状況へと評価の観点を変えた表へと表示を切り替える工程
を更に含むことを特徴とする付記１に記載の表の表示方法。
【０１０９】
（付記９）
企業活動の評価に利用される複数の業績評価指標項目の状況を管理するための表の表示をコンピュータに実行させるためのプログラムであって、
格納手段が、業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けてデータベースに格納し、
列挙手段が、前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙し、
記号配置手段が、前記情報項目と前記時期区分との対応関係を示す記号を生成して、行と列の交差位置に配置し、
連結線作成手段が、前記記号が示す前記情報項目を計算するのに用いられる、あるいは該記号を用いて計算される他の記号と、該記号とを連結する連結線を作成し、
表示手段が、前記情報項目、前記時期区分、前記記号、および前記連結線を表示する
処理を前記コンピュータに実行させることを特徴とするプログラム。
【０１１０】
（付記１０）
企業活動の評価に利用される複数の業績評価指標項目の状況を管理するための表の表示システムであって、
業績評価指標項目、業績評価指標の計算に用いられる計算用項目、および業務の過程において発生する発生データを内容とする素データ項目から構成される情報項目と、前記情報項目の処理を行う部門内で該情報項目の処理を行う時期に関するデータとを関連付けて格納する格納手段と、
前記情報項目が処理される時期に関するデータに基づき時系列順に並べられた前記情報項目と、該情報項目が処理される時期あるいは業績評価が行われる時期を表す時期区分のうち、一方を行方向に他方を列方向に列挙する列挙手段と、
前記情報項目と前記時期区分との対応関係を示す記号を生成して、行と列の交差位置に配置する記号配置手段と、
前記記号が示す前記情報項目を計算するのに用いられる、あるいは該記号を用いて計算される他の記号と、該記号とを連結する連結線を作成する連結線作成手段と、
前記情報項目、前記時期区分、前記記号、および前記連結線を表示する表示手段と
を含むことを特徴とする表の表示システム。
【図面の簡単な説明】
【０１１１】
【図１】実施例１に係る因果関係図の表示システムの構成図である。
【図２】実施例１において作成され、表示される因果関係図の基本構造を示す図である。
【図３】因果関係図の時間軸の表示例を説明する図である。
【図４】実施例１において作成され、表示される因果関係図の例を示す。
【図５】表示された因果関係図を、本実施例に係る因果関係図の表示システムで運用を行ったときの表示の例を示す。
【図６】記号の表示色の変化についての動作処理を表すフローチャートである。
【図７】実施例１に係る業績評価指標項目データベースに格納されているデータの構造を概念的に表した図である。
【図８】実施例１に係る業績評価指標項目データベースに格納されているデータの構造図である。
【図９】（ａ）は業績評価指標項目データベースに格納されているデータを説明する図であり、（ｂ）は（ａ）のデータに基づいて作成された因果関係図である。
【図１０】（ａ）、（ｂ）、（ｃ）および（ｄ）は、各情報項目内における構成要素の処理を説明する図である。
【図１１】（ａ）は情報項目の計算式データ、（ｂ）は情報項目の計算処理について説明する図である。
【図１２】情報項目について、計算状態に関する日時データの記録について説明する図である。
【図１３】（ａ）は情報項目について、各処理段階の日時データの記録について説明する図であり、（ｂ）は（ａ）に基づいて色分けされた因果関係図を示す。
【図１４】ドリルダウンやスライス＆ダイス操作による因果関係図の表示の切り替えを説明する図である。
【図１５】実施例２において作成、表示される因果関係図の例を示す。
【図１６】本発明に係る因果関係図の表示システムの、情報処理装置の構成図である。
【符号の説明】
【０１１２】
１      因果関係図の表示システム
２      業績評価指標項目定義機能プログラム
３      業績評価指標項目データベース
４      業績評価指標計算機能プログラム
５      処理状況監視機能プログラム
７      因果関係図作成機能プログラム
８      ドリルダウン・ＯＬＡＬ機能プログラム
２０      因果関係図
【図１】
2005165988.tif 000003
【図２】
2005165988.tif 000004
【図３】
2005165988.tif 000005
【図４】
2005165988.tif 000006
【図５】
2005165988.tif 000007
【図６】
2005165988.tif 000008
【図７】
2005165988.tif 000009
【図８】
2005165988.tif 000010
【図９】
2005165988.tif 000011
【図１０】
2005165988.tif 000012
【図１１】
2005165988.tif 000013
【図１２】
2005165988.tif 000014
【図１３】
2005165988.tif 000015
【図１４】
2005165988.tif 000016
【図１５】
2005165988.tif 000017
【図１６】
2005165988.tif 000018